(57)【要約】  【課題】  アクセス用開口１４を開閉自在に覆うシャッタ１７を閉じる方向に付勢するねじりコイルばね２０が下シェル１２のカム形状に沿って移動することによって、シャッタ１７の戻しストロークを拡大するようにしたディスクカートリッジにおいて、シャッタ１７のストロークを大きくしてもシャッタ１７に作用する付勢力が安定に維持されるようにする。  【解決手段】  シャッタ１７が閉じる途中からは、ねじりコイルばね２０のコイル部６１が下シェル１２の第１の壁部７１に当接するとともに、このねじりコイルばね２０のシャッタ１７と連結される連結部とは反対側の基端部を構成する屈曲部６２が下シェル１２の第２の壁部７１に当接し、しかもこの第２の壁部７２がその最初のストロークにおいては小さな傾斜角を有し、後半において傾斜角が大きくなるように構成する。【選択図】  図３５
2005182848.tif 000002
【特許請求の範囲】
【請求項１】
ケーシングの開口を開閉自在に覆うように取付けられるシャッタを開いて前記開口を通して前記ケーシング内のディスクにアクセスするようにしたディスクカートリッジにおいて、
前記ケーシングに設けられているロック部材と、
前記シャッタが前記開口を閉じた状態で前記ロック部材によってロックされるように前記シャッタに設けられている被ロック部と、
前記シャッタに取付けられており、前記シャッタの被ロック部の前記ロック部材によるロックを解除する解除部材と、
前記解除部材を介して前記シャッタを閉じる方向に付勢するばねと、
を具備し、前記ばねが中間部にコイル部を有するねじりコイルばねから構成され、該ねじりコイルばねのコイル部が前記ケーシングの傾斜する第１の壁部によって前記シャッタを閉じる方向に押されるとともに、前記ねじりコイルばねの基端部が前記ケーシングの傾斜する第２の壁部によって前記シャッタを閉じる方向に押され、しかも該第２の壁部は前記シャッタを開く方向側の部分よりも前記シャッタを閉じる方向側の部分の方が前記シャッタのストローク方向に対する傾斜角が大きいことを特徴とするディスクカートリッジ。
【請求項２】
前記ねじりコイルばねの基端部を受ける第２の壁部が曲面から構成され、前記シャッタのストローク方向に対して連続的に傾斜角が変化し、前記シャッタを閉じる方向側の部分の方が傾斜角が大きいことを特徴とする請求項１に記載のディスクカートリッジ。
【請求項３】
前記ねじりコイルばねの基端部を受ける第２の壁部が角度が異なる複数の直線状の壁面から構成され、前記シャッタのストローク方向に対して段階的に傾斜角が変化し、前記シャッタを閉じる方向側の部分の方が傾斜角が大きいことを特徴とする請求項１に記載のディスクカートリッジ。
【請求項４】
前記第１の壁部が前記第２の壁部よりも前記開口側に設けられており、前記シャッタの開閉方向に対して傾斜する壁面を有することを特徴とする請求項１に記載のディスクカートリッジ。
【請求項５】
前記シャッタが開放された状態から閉じる方向に遷移する途中までは前記ねじりコイルばねが通常のねじりコイルばねとして作用し、前記ねじりコイルばねの基端部が前記第２の壁部のほぼ終端で受けられることを特徴とする請求項１に記載のディスクカートリッジ。
【請求項６】
前記シャッタが開放された状態から閉じる方向に遷移する途中の段階で前記ねじりコイルばねの基端部が前記第２の壁部の終端から該第２の壁部上を移動することを特徴とする請求項５に記載のディスクカートリッジ。
【請求項７】
前記第１の壁部および前記第２の壁部が前記ケーシングの内表面に形成されたリブから構成されることを特徴とする請求項１に記載のディスクカートリッジ。
【発明の詳細な説明】
【技術分野】
【０００１】
本発明はディスクカートリッジに係り、とくにケーシングの開口を開閉自在に覆うように取付けられるシャッタを開いて上記開口を通してケーシング内のディスクにアクセスするようにしたディスクカートリッジに関する。
【背景技術】
【０００２】
光ディスク等のディスク状記録媒体を用いて信号の書込みあるいは読出しを行なうようにした光ディスクプレーヤが広く普及している。そして上記光ディスクを保護するために、上記ディスクをケーシング内に収納してカートリッジ式にしたものが提案されている。この場合には、ケーシングの開口を開閉自在に覆うように取付けられるシャッタを開いて、上記開口を通してケーシング内のディスクに光ピックアップがアクセスすることによって信号の書込みあるいは読出しが行なわれる。そしてアクセスのための開口を開放したままの状態にしておくと、この開口を通してディスクが汚損されたり破損したりするために、カートリッジ式にしたことの意味がなくなる。そこで上記開口を開閉式のシャッタによって覆うようにしている。
【０００３】
このようなディスクカートリッジにおいては、例えば特公平７−８９４３１号公報に開示されているように、ほぼ四角なケース内にディスクを包含し、このケースのコーナの部分にねじりコイルばねの復元力でシャッタ部材を移動させてヘッド挿入窓を閉状態にし、ロック手段によってシャッタ部材を該状態に係合保持している。また特開２０００−９０６３４号公報には、ねじりコイルばねによってテープカートリッジの蓋の部分を閉じるように付勢した磁気テープカートリッジが開示されている。
【０００４】
ここでディスクカートリッジでシャッタを閉じるための付勢手段として上述のようにばねを用いる。とくにこのようなばねとしてねじりコイルばねを使う場合に、シャッタの開閉方向のストロークが大きいと、ばねが開いたときの寸法か大きくなり、大きなスペースを必要とするばねがケーシング内に収まりきらないことになる。そこでこのような問題の対策として、特開平８−２１２７５０号公報に開示されているように、ばねのカートリッジのシェル側に当接する基端部をシェル内で移動可能にし、狭いスペースで大きなストロークを実現することが試みられている。
【０００５】
しかるにこのような構造を採用しても、シャッタの開閉の全ストロークにわたって安定的に閉じる方向へ付勢する付勢力をばねで発生させることができない。すなわち小さなスペースの中に収納されるばねであってしかも開閉のストロークの大きなシャッタをその総ての移動位置にわたって安定に閉じる方向に付勢することができない問題があった。
【特許文献１】特公平７−８９４３１号公報
【特許文献２】特開２００２−９０６３４号公報
【特許文献３】特開平８−２１２７５０号公報
【発明の開示】
【発明が解決しようとする課題】
【０００６】
本願発明の課題は、ケーシングの開口を開閉自在に覆うシャッタに対してその全ストロークにわたって安定に付勢力を付与することができるようにしたディスクカートリッジを提供することである。
【０００７】
本願発明の別の課題は、ケーシング内の狭い占有スペース内においてしかも安定した付勢力をシャッタに対して与える付勢機構を有するディスクカートリッジを提供することである。
【０００８】
本願発明のさらに別の課題は、狭い占有スペースでしかも安定的にシャッタに対して閉じる方向に付勢力を与えるようにしたねじりコイルばねを有するディスクカートリッジを提供することである。
【０００９】
本願発明のさらに別の課題は、ケーシングの開口を開閉自在にねじりコイルばねで付勢するようにしたディスクカートリッジにおいて、とくにシャッタがほぼ完全に開口を閉じる位置においてもかつ安定した付勢力を維持するようにしたねじりコイルばねを有するディスクカートリッジを提供することである。
【００１０】
本願の上記の課題および別の課題は、以下に述べる発明の技術的思想および実施の形態によって明らかにされよう。
【課題を解決するための手段】
【００１１】
本願の主要な発明は、ケーシングの開口を開閉自在に覆うように取付けられるシャッタを開いて前記開口を通して前記ケーシング内のディスクにアクセスするようにしたディスクカートリッジにおいて、
前記ケーシングに設けられているロック部材と、
前記シャッタが前記開口を閉じた状態で前記ロック部材によってロックされるように前記シャッタに設けられている被ロック部と、
前記シャッタに取付けられており、前記シャッタの被ロック部の前記ロック部材によるロックを解除する解除部材と、
前記解除部材を介して前記シャッタを閉じる方向に付勢するばねと、
を具備し、前記ばねが中間部にコイル部を有するねじりコイルばねから構成され、該ねじりコイルばねのコイル部が前記ケーシングの傾斜する第１の壁部によって前記シャッタを閉じる方向に押されるとともに、前記ねじりコイルばねの基端部が前記ケーシングの傾斜する第２の壁部によって前記シャッタを閉じる方向に押され、しかも該第２の壁部は前記シャッタを開く方向側の部分よりも前記シャッタを閉じる方向側の部分の方が前記シャッタのストローク方向に対する傾斜角が大きいことを特徴とするディスクカートリッジに関するものである。
【００１２】
ここで前記ねじりコイルばねの基端部を受ける第２の壁部が曲面から構成され、前記シャッタのストローク方向に対して連続的に傾斜角が変化し、前記シャッタを閉じる方向側の部分の方が傾斜角が大きくてよい。また前記ねじりコイルばねの基端部を受ける第２の壁部が角度が異なる複数の直線状の壁面から構成され、前記シャッタのストローク方向に対して段階的に傾斜角が変化し、前記シャッタを閉じる方向側の部分の方が傾斜角が大きくてよい。また前記第１の壁部が前記第２の壁部よりも前記開口側に設けられており、前記シャッタの開閉方向に対して傾斜する壁面を有していてよい。また前記シャッタが開放された状態から閉じる方向に遷移する途中までは前記ねじりコイルばねが通常のねじりコイルばねとして作用し、前記ねじりコイルばねの基端部が前記第２の壁部のほぼ終端で受けられてよい。また前記シャッタが開放された状態から閉じる方向に遷移する途中の段階で前記ねじりコイルばねの基端部が前記第２の壁部の終端から該第２の壁部上を移動してよい。また前記第１の壁部および前記第２の壁部が前記ケーシングの内表面に形成されたリブから構成されてよい。
【００１３】
本願発明の好ましい態様は、シャッタ戻しばねのシェル側の壁部と当接する基端部であってシャッタと連結される部分とは反対側の端部がシェルのカム形状に沿って移動することにより、シャッタの戻しストロークを拡大しているディスクカートリッジにおいて、上記ばねの基端部が当接するシェルの壁部をカム形状の曲線にすることによって、シャッタの戻し力を安定化させるようにしたものである。
【００１４】
とくに上記の態様において、シャッタを閉じる方向に付勢するばねのカートリッジの筐体側の壁面と接する基端部が、筐体内の壁部によって移動可能に当接されているディスクカートリッジにおいて、上記壁面の途中で移動方向が変化するようにしたものである。とくに上記の壁面に沿う移動経路とシャッタの移動方向とのなす角度が、移動経路のシャッタとの連結部から遠い側では小さく、シャッタの連結部に近い側では大きくするようにしている。
【００１５】
このような態様によれば、大きなシャッタストロークを持つディスクカートリッジにおいても、狭い占有スペースでしかも安定な付勢力を持ったねじりコイルばねから成るシャッタ付勢ばねを実現することができるようになり、このようなシャッタ付勢ばねによってシャッタに対してその全ストローク、とくに閉じる直前の状態においてもなお十分な付勢力を付与することが可能になる。
【発明の効果】
【００１６】
本願の主要な発明は、ケーシングに設けられているロック部材と、シャッタが開口を閉じた状態でロック部材によってロックされるようにシャッタに設けられている被ロック部と、シャッタに取付けられており、シャッタの被ロック部のロック部材によるロックを解除する解除部材と、解除部材を介してシャッタを閉じる方向に付勢するばねと、を具備し、ばねが中間部にコイル部を有するねじりコイルばねから構成され、該ねじりコイルばねのコイル部がケーシングの傾斜する第１の壁部によってシャッタを閉じる方向に押されるとともに、ねじりコイルばねの基端部がケーシングの傾斜する第２の壁部によってシャッタを閉じる方向に押され、しかも該第２の壁部はシャッタを開く方向側の部分よりもシャッタを閉じる方向側の部分の方がシャッタのストローク方向に対する傾斜角が大きくしたものである。
【００１７】
従ってこのようなディスクカートリッジによれば、上記第２の壁部のシャッタを開く方向側の傾斜角度が小さい部分によってねじりコイルばねでシャッタを押すストロークを大きく設定することが可能になる。しかも第２の壁部のシャッタを閉じる方向側の角度の大きい部分で大きな付勢力を発生させることができる。従ってとくに上記の傾斜角の大きな部分による大きな付勢力で、シャッタが閉じる直前の状態においてもなお十分な付勢力をシャッタに対して与えることができ、シャッタが確実に閉まるようになる。
【発明を実施するための最良の形態】
【００１８】
以下本願発明を図示の実施の形態によって説明する。図１は本実施の形態に係るディスクカートリッジの全体の構造を示すものであって、このディスクカートリッジは偏平なケーシング１０を備えている。すなわちケーシング１０は互いに上下から接合される合成樹脂製の上シェル１１と下シェル１２とから構成されている。下シェル１２のほぼ中央部にはターンテーブルが侵入する円形の中心孔１３が形成されるとともに、この中心孔１３と連続するように下シェル１２の側面に延びるようなアクセス用開口１４が形成されている。このアクセス用開口１４を通して内部に収納されるディスク６５に対して光ピックアップがディスク６５の半径方向に移動しながらアクセスする。
【００１９】
上記下シェル１２の中心孔１３およびアクセス用開口１４を開閉自在に覆うようにシャッタ１７が取付けられる。シャッタ１７はさらに棒状をなす解除部材１８を備えるとともに、シャッタ１７が板ばねから成るロック板１９によって閉じた状態でロックされるようになっている。またシャッタ１７はねじりコイルばね２０によって閉じる方向に付勢される。
【００２０】
次に上シェル１１の構造を図２〜図４によって説明する。上シェル１１の外表面、すなわち上面にはラベル貼付け用凹部２３が形成される。また上シェル１１には下シェル１２と結合するための結合用ビス穴２４が形成される。また上シェル１１の内表面には図３に示すように円形の凹部２５が形成される。さらに上シェル１１の内表面であってその一側部には係止溝２７が形成される。この係止溝２７はシャッタ１７の後述する被係止部４２を受入れるためのものである。
【００２１】
次に下シェル１２の構造を図５〜図８によって説明する。下シェル１２の内表面には円形の凹部３０が形成され、この凹部３０内にディスク６５が保持されるようになっている。また上シェル１１の結合用ビス穴２４と対応する位置にはボス３１が形成されるとともに、このボス３１の中心部に雌ねじ孔３２が形成される。従って上記上シェル１１の結合用ビス穴２４を挿通するビスを上記雌ねじ孔３２に螺着することによって、上下のシェル１１、１２が互いに結合されてケーシング１０が組立てられる。
【００２２】
上記下シェル１２の側部には段部３３が形成される。この段部３３は上記解除部材１８が摺動する摺動面を構成している。また下シェル１２の下面には摺動用凹部３４が形成され、上記シャッタ１７がこの摺動用凹部３４を摺動して上記アクセス用開口１４を開閉するようにしている。また上記摺動用凹部３４の奥の部位にはさらに深い凹部３５が形成されている。この凹部３５は上記シャッタ１７の先端側の屈曲部４４を受入れるものである。また下シェル１２の下面であって上記段部３３の下側の位置には係止溝３６が形成されている。この係止溝３６はシャッタ１７の後述する被係止部４３を受入れるようになっている。
【００２３】
また上記下シェル１２の内表面であって上記ねじりコイルばね２０を収納保持する部位には、ぼぼ直角３角形状のリブから成る第１の壁部７１が形成されるとともに、この第１の壁部７１の側部であってこの下シェル１２のコーナの部分には、ほぼ円弧状をなす第２の壁部７２が形成されている。この第２の壁部７２が上記ねじりコイルばね２０の基端側の部分を受けるとともに、その上を上記基端側の端部が移動するようになされ、これによってシャッタ１７の閉じる方向のストロークの全範囲にわたって安定な付勢力をねじりコイルばね２０がシャッタ１７に与えるようにしている。
【００２４】
次に上記ケーシング１０の下シェル１２の中心孔１３およびアクセス用開口１４を一緒に開閉するシャッタ１７について説明すると、シャッタ１７は図９〜図１３に示すように、ほぼ矩形の金属板から構成され、その長さ方向の一端側には直角に折曲った側壁３８が形成されている。そしてこの側壁３８の側端側にはシャッタ１７の主面とほぼ平行な方向に突出するように爪３９が形成される。この爪３９が被ロック部を構成する。また側壁３８の上縁には一対の保持片４０が形成される。これらの保持片４０は上記下シェル１２の段部３３上を摺動する解除部材１８を押えるためのものである。
【００２５】
またシャッタ１７のシャッタ１７の側壁３８の上端には一対の突片４１が形成され、これらの突片４１の先端側の部分には上方に突出するように被係止部４２が形成されている。この被係止部４２が上シェル１１の内表面に形成される係止溝２７と係合され、これによってシャッタ１７がケーシング１０から脱落するのを防止している。さらに上記側壁３８の爪３９とは反対側の側端部に被係止部４３が形成され、この被係止部４３が下シェル１２の下面の係止溝３６に係合されてシャッタ１７がケーシング１０から脱落するのを防止している。またシャッタ１７の上記側壁３８が形成されている端部とは反対側の端部に屈曲部４４が形成され、この屈曲部４４が下シェル１２の下面の深い凹部３５内に受入れられており、これによってシャッタ１７の屈曲部４４が形成されている先端部が異物等に引掛からないようにしている。
【００２６】
次にシャッタ１７の側壁３８の内側に保持された状態で下シェル１２の段部３３上を摺動する解除部材１８について図１４〜図１６により説明する。この解除部材１８はその側端に凹部４７を備えている。そして凹部４７の一端であって図１４〜図１６において左端側の部分にカム４８が形成される。そして上記凹部４７に開放するようにこの解除部材１８には横方向に貫通穴４９が形成される。この貫通穴４９を上記シャッタ１７の爪３９が挿通するようになっている。また上記貫通穴４９の背面側であってこの解除部材１８の背面側の部分には段部５０が形成されている。
【００２７】
さらに解除部材１８には上記貫通穴４９が形成される部分とは反対側の端部に段部５１が形成されている。そして段部５１には切込み５２が形成されるとともに、この切込み５２を横切るように連結部５３が形成され、この連結部５３の内側が係合孔５４になっている。係合孔５４は上記ねじりコイルばね２０の一端の屈曲部６３を受入れるようになっている。
【００２８】
次に上記シャッタ１７をロックするためのロック板１９について説明する。ロック板１９は細長い板ばねによって図１７〜図１９に示すように、ほぼへの字状に屈曲させたものであって、この板ばね１９の一端側の部分にはその上下に突出するように突部５７が形成されている。これらの突部５７は上シェル１１と下シェル１２とによって保持され、これによってこの板ばね１９をケーシング１０の内部の所定の位置に保持するようにしている。また板ばね１９の長さ方向のほぼ中間位置であってへの字状の屈曲部の近傍には横長のロック孔５８が形成されている。またこの板ばね１９の上記突部５７が形成されている端部とは反対側の端部にはほぼ水平な受け面５９が形成される。この受け面５９が下シェル１２の壁面に当接するようになっている。
【００２９】
次に上記シャッタ１７を閉じる方向に付勢するねじりコイルばね２０について図２０〜図２２により説明する。ねじりコイルばね２０は断面が円形の細長いワイヤを巻回して構成したものであって、その両端はそれぞれ互いに逆方向に延びるアームを備えるとともに、左右に延びたアームの先端側の部分にそれぞれ屈曲部６２、６３が形成されている。これらのアームの屈曲部６２、６３の内一方の屈曲部６２がシェル１２の凹部によって受けられるとともに、他方の屈曲部６３が上記解除部材１８の係合孔５４に係合するようになっている。
【００３０】
次にこのようなディスクカートリッジのとくにロック機構を図２３によって説明する。シャッタ１７のロック機構はこのシャッタ１７に設けられている爪３９と、この爪３９が挿通される貫通孔４９を備える解除部材１８と、板ばねから成るロック板１９とによって構成される。解除部材１８は下シェル１２の段部３３上において上記シャッタ１７の側壁３８と保持片４０とによって保持された状態でシャッタ１７の側壁３８の内側に組込まれる。そしてこのときにシャッタ１７の爪３９が解除部材１８の貫通穴４９内を挿入するとともに、爪３９の先端部がこの貫通孔４９から突出してロック板１９のロック孔５８に係合し、これによってロックが行なわれる。
【００３１】
図２４Ａはシャッタ１７の爪３９がロック板１９のロック孔５８の一方のエッジに係合し、これによってシャッタ１７がロックされた状態を示している。このときに爪３９は解除部材１８の貫通穴４９の下側の側壁部分に当接している。すなわちロック状態においては、シャッタ１７に対して解除部材１８がシャッタ１７を閉じる方向、すなわち図２３Ａにおいて上方に相対的に移動している。
【００３２】
このようなロック状態において、図２４Ｂに示すように、シャッタ１７に対して解除部材１８をロック解除方向、すなわちシャッタ１７を開く方向に摺動させる。このときに解除部材１８の貫通穴４９のストローク方向の寸法と爪３９の同方向の寸法とのクリアランス分だけ解除部材１８がシャッタ１７に対して図２４Ｂにおいて下方へ移動する。そしてこのときに解除部材１８の凹部４７の上端側のカム４８がロック板１９を押して同図においてロック板１９を左方へ押圧する。すなわち解除部材１８のロック解除方向への移動によって、ロック板１９のロック孔５８が爪３９から離れるように側方に移動し、これによって爪３９の貫通孔４９から突出する先端部がロック板１９のロック孔５８から相対的に離脱する。これによってロック解除動作が行なわれる。
【００３３】
またロック動作はねじりコイルばね２０によって解除部材１８をシャッタ１７の閉鎖方向、すなわち図２４Ｂにおいて上方に移動させることにより達成される。同方向に解除部材１８を移動させると、この解除部材１８と爪３９を介して結合されているシャッタ１７が一緒に移動し、やがてこのシャッタ１７の爪３９が図２４Ａに示すように解除部材１８の凹部４７に落込んだ板ばね１９のロック孔５８に係合してロックが行なわれることになる。
【００３４】
図２５および図２６は、シャッタ１７がケーシング１０の下シェル１２の中心孔１３とアクセス用開口１４とを閉じた状態を示している。ここでケーシング１０はその上シェル１１を外して示しており、ここでは下シェル１２のみが示されている。下シェル１２の円形の凹部３０にディスク６５が収納されており、しかもシャッタ１７が中心孔１３とアクセス用開口１４とを閉じている。そしてシャッタ１７の爪３９が解除部材１８の貫通穴４９を貫通してロック板１９のロック孔５８内に入込んだ状態になっている。なおロック板１９はその一端の突部５７を上シェル１１と下シェル１２の凹部に保持して固定した状態になっている。
【００３５】
ここでシャッタ１７を図２５および図２６において左方に移動させようとしても、シャッタ１７の爪３９がロック板１９のロック孔５８のエッジに引掛かってシャッタ１７は開く方向には移動されない。上述の如くシャッタ１７には解除部材１８が具備されており、その貫通穴４９にシャッタ１７の爪３９が入込んでいる。解除部材１８の側部にはカム４８を有する凹部４７が形成され、この凹部４７にへの字状に屈曲したロック板１９が入込んでいる。そしてねじりコイルばね２０が解除部材１８を介してシャッタ１７を閉じる方向であって図２５および図２６において右方に押している。解除部材１８の貫通穴４９の左側の側壁部分がシャッタ１７の爪３９によってシャッタ１７を押し、このためにシャッタ１７は下シェル１２の当接段部６６（図２６参照）に突当って閉鎖位置を保持している。これがシャッタ１７が閉鎖してロックされた状態である。
【００３６】
これに対してシャッタ１７がケーシング１０の下シェル１２の中心孔１３とアクセス用開口１４とを完全に開放した状態が図２７および図２８に示される。解除部材１８が図示を省略した部材によってシャッタ１７を開く方向、すなわち図２７および図２８において左方に押されると、シャッタ１７のロックが解除され、解除部材１８がシャッタ１７の爪３９を貫通穴４９の右側の壁部で押して左方へ移動させる。
【００３７】
なおねじりコイルばね２０はシャッタ１７が完全に開かれた状態においては、とくに図２７に示すようにシャッタ１７の側壁３８側の左側の側端を直接押すようになっており、解除部材１８から離間した状態にある。このような構造は、プラスチック部品から成る解除部材１８にねじりコイルばね２０による力をかけずに済むようになり、これによって解除部材１８の高温環境下での変形をより確実に防止することが可能になる。
【００３８】
シャッタ１７を閉じるねじりコイルばね２０は上述の如くその中間部にコイル部６１を有するとともに、両端が屈曲部６２、６３になっている。そしてねじりコイルばね２０のコイル部１６が下シェル１２の第１の壁部７１と接触し、屈曲部６２が下シェル１２の斜めの第２の壁部７２と当接するようになっている（図２９参照）。
【００３９】
ここでシャッタ１７が開かれた状態から閉じる状態に遷移する場合に、そのストロークの途中までは、このねじりコイルばね２０は通常のねじりコイルばねとして作用し、シャッタ１７を閉じる方向に付勢する。ところがそのストローク以降においては、ねじりコイルばね２０のコイル部６１が下シェル１２の第１の壁部７１に当接しており、このねじりコイルばね２０の基端側の屈曲部６２が下シェル１２の第２の壁面７２に沿って斜めに動くことによって、シャッタ１７を閉じる方向に付勢する。
【００４０】
このときにシャッタ１７を閉じる方向に付勢するねじりコイルばね２０の付勢力を求めると、図３０に示すようになる。この図のグラフにおいて、横軸がシャッタ１７のストロークを示し、右方に行くほど閉じる方向に移動するようになる。これに対して縦軸がこのねじりコイルばね２０の付勢力を示す。このグラフから明らかなように、閉じる方向の後半のモードにおいて、シャッタ１７に対するねじりコイルばね２０の付勢力が非常に小さく、とくにシャッタ１７の閉じるために要するストロークが長いときには、このストロークの終端の近傍における付勢力が非常に小さくなる。するとシャッタ１７が確実に閉じることができなくなる可能性を生ずる。
【００４１】
上記ねじりコイルばね２０の第２のモード、すなわちねじりコイルばね２０のコイル部６１が第１の壁部７１に接触するとともに屈曲部６２が第２の壁部７２に沿って移動する状態においてねじりコイルばね２０の付勢力を大きくするには、ねじりコイルばね２０の屈曲部６２が沿って動く第２の壁部７２とシャッタ１７の移動方向とのなす角度を大きくすればよい。例えば図３１は上記図２９に比べてこの角度を大きくした状態を示している。ところがシャッタ１７の移動方向に対して第２の壁部７２の角度を大きくすると、シャッタ１７の移動ストロークがある値を超えたときにねじりコイルばね２０の屈曲部６２が空振りをすることになる。すなわち第２の壁部７２の角度を大きくすると、シャッタ１７のストロークを大きくとることができなくなる。なお第２の壁部７２の角度を大きくしたときのねじりコイルばね２０の付勢力の変化は図３２に示される。
【００４２】
シャッタ１７の閉じる方向のストロークを大きくしてもなおかつねじりコイルばね２０がなお有効に作動するためには、このねじりコイルばね２０の屈曲部６２が沿って動く第２の壁部７２のシャッタ１７のストローク方向に対する角度を図３３に示すように小さくすればよい。ところがこのように第２の壁部７２の角度を図３３に示すように小さくすると、図３４に示すように今度は逆にねじりコイルばね２０によるシャッタ１７に対する付勢力が小さくなる問題を生ずる。
【００４３】
そこで本実施の形態においては、図３５に示すように、下シェル１２の第２の壁部７２の形状を曲線状とし、第２の壁部７２のシャッタ１７のストローク方向に対する角度を、シャッタ１７の閉じる方向とは反対側の部分において小さくし、シャッタ１７の閉じる方向側においては大きくなる形状としている。すなわち図３５に示すように、ほぼ円弧状をなし、シャッタ１７のストローク方向閉じる側にいくに従って第２の壁部７２の角度が次第に大きくなるようにしている。
【００４４】
このような構成によるねじりコイルばね２０の付勢力の変化が図３６に示される。とくに図３５に示す構造の場合には、この第２の壁部７２のシャッタ１７の閉じる方向とは反対側の部分の小さな傾斜角の部分で大きなストロークをかせぐとともに、第２の壁部７２のシャッタ１７の閉じる方向側の端部における大きな角度によってシャッタ１７が閉じる直前になおねじりコイルばね２０がシャッタ１７に高い付勢力を付与するようにしている。
【００４５】
すなわち本実施の形態においては、シャッタ１７を閉じる方向に付勢するねじりコイルばね２０の力を図３５に示す構成によって図３６に示すように変化させるようにしている。付勢力に余裕がある第２のモードのストロークの前半部分では第２の壁部７２の角度を小さくし、これによってねじりコイルばね２０のシャッタ１７に対するストロークをかせぐとともに、第２の壁部７２のとくに後半部分、すなわちシャッタ１７を閉じる側の部分においてはその角度を大きくして付勢力の低下を防いでいる。従ってシャッタ１７の開閉方向の長いストロークにわたって大きな付勢力を得ることが可能になる。
【００４６】
次に別の実施の形態を図３７によって説明する。この実施の形態は、シャッタ１７を付勢するねじりコイルばね２０の屈曲部６２が接触する下シェル１２の第２の壁部７２の形状を、シャッタ１７の閉じる方向とは反対側の部分において比較的角度が小さな直線状の壁部とし、この直線状の壁部に連続するように円弧状の壁部を設け、それらを連続して壁部７２としている。従ってこの場合には後半側の部分が上記第１の実施例と同じ形状になるものの、前半側の部分については直線状をなす角度の小さな壁部から構成される。このような構成によっても、上記の実施の態様とほぼ同様の作用効果を奏することが可能になる。
【００４７】
図４８はさらに別の実施の形態を示している。この実施の形態はねじりコイルばね２０のシェル側の屈曲部６２が接する下シェル１２の第２の壁部７２の形状を、２つの直線状部から構成したものである。すなわちこの第２の壁部７２の前半部分を小さな角度の壁部から構成するとともに、後半部分を大きな角度の壁部から構成し、これらを連続させて第２の壁部７２としている。
【００４８】
このような構成によれば、傾斜角の小さな始めの部分でねじりコイルばね２０によって長いストロークを確保し、後半の傾斜角の大きな壁部によって大きな付勢力をねじりコイルばね２０がシャッタ１７に与えることを可能にする。
【００４９】
このように本実施の形態および変形例のディスクカートリッジは、シャッタ１７を閉じる方向に付勢するねじりコイルばね２０のシャッタ１７と連結される端部とは反対側の端部であって屈曲部６２が形成されている端部が下シェル１２のカム形状の壁部７２に沿って移動することによってシャッタ１７の戻しストロークを拡大するようにしたディスクカートリッジにおいて、上記第２の壁部７２の形状を工夫することによってこのねじりコイルばね２０が大きなストロークを確保できるとともに、シャッタ１７に加える戻し力を安定させるようにしている。従ってシャッタ１７の開閉方向のストロークが大きなディスクカートリッジにおいても、下シェル１２内における狭い占有スペースでしかも安定した付勢力を発生するねじりコイルばね２０を有するディスクカートリッジが提供できるようになる。
【産業上の利用可能性】
【００５０】
本願発明は光ディスクプレーヤによって信号の書込みあるいは読出しを行なうための光ディスクプレーヤのカートリッジ型の記録媒体として広く利用可能である。
【図面の簡単な説明】
【００５１】
【図１】ディスクカートリッジの分解斜視図である。
【図２】上シェルの平面図である。
【図３】上シェルの底面図である。
【図４】上シェルの正面図である。
【図５】下シェルの平面図である。
【図６】下シェルの底面図である。
【図７】下シェルの正面図である。
【図８】図５におけるＡ〜Ａ線断面図である。
【図９】シャッタの平面図である。
【図１０】シャッタの正面図である。
【図１１】シャッタの側面図である。
【図１２】シャッタの斜視図である。
【図１３】シャッタの要部拡大斜視図である。
【図１４】解除部材の平面図である。
【図１５】解除部材の正面図である。
【図１６】解除部材の斜視図である。
【図１７】ロック板の平面図である。
【図１８】ロック板の正面図である。
【図１９】ロック板の斜視図である。
【図２０】ねじりばねの平面図である。
【図２１】ねじりばねの正面図である。
【図２２】ねじりばねの斜視図である。
【図２３】シャッタのロック機構の分解斜視図である。
【図２４】シャッタのロック状態およびロック解除状態の要部平面図である。
【図２５】シャッタを閉じた状態のディスクカートリッジの平面図である。
【図２６】シャッタを閉じた状態のディスクカートリッジの正面図である。
【図２７】シャッタを開いた状態のディスクカートリッジの平面図である。
【図２８】シャッタを開いた状態のディスクカートリッジの正面図である。
【図２９】下シェルに形成される壁部とねじりコイルばねとの関係を示す要部平面図である。
【図３０】ねじりコイルばねの付勢力の変化を示すグラフである。
【図３１】下シェルの第２の壁部の角度を大きくしたときの図２９と同様の平面図である。
【図３２】ねじりコイルばねの付勢力の変化を示すグラフである。
【図３３】下シェルの第２の壁部の角度を小さくしたときの図２９と同様の平面図である。
【図３４】ねじりコイルばねの付勢力の変化を示すグラフである。
【図３５】下シェルの第２の壁部を円弧状にしたときの図２９と同様の平面図である。
【図３６】ねじりコイルばねの付勢力の変化を示すグラフである。
【図３７】変形例のねじりコイルばねと下シェルの壁部との関係を示す平面図である。
【図３８】別の変形例のねじりコイルばねと下シェルの壁部との関係を示すグラフである。
【符号の説明】
【００５２】
１０‥‥ケーシング、１１‥‥上シェル、１２‥‥下シェル、１３‥‥中心孔、１４‥‥アクセス用開口、１７‥‥シャッタ、１８‥‥解除部材、１９‥‥ロック板（板ばね）、２０‥‥ねじりコイルばね、２３‥‥ラベル貼付け用凹部、２４‥‥結合用ビス穴、２５‥‥円形の凹部、２７‥‥係止溝、３０‥‥円形の凹部、３１‥‥ボス、３２‥‥雌ねじ孔、３３‥‥段部、３４‥‥摺動用凹部、３５‥‥深い凹部、３６‥‥係止溝、３８‥‥側壁、３９‥‥爪、４０‥‥保持片、４１‥‥突片、４２、４３‥‥被係止部、４４‥‥屈曲部、４７‥‥凹部、４８‥‥カム、４９‥‥貫通穴、５０、５１‥‥段部、５２‥‥切込み、５３‥‥連結部、５４‥‥係合孔、５７‥‥突部、５８‥‥ロック孔、５９‥‥受け面、６１‥‥コイル部、６２、６３‥‥屈曲部、６５‥‥ディスク、６６‥‥当接段部、７１‥‥第１の壁部、７２‥‥第２の壁部
【図１】
2005182848.tif 000003
【図２】
2005182848.tif 000004
【図３】
2005182848.tif 000005
【図４】
2005182848.tif 000006
【図５】
2005182848.tif 000007
【図６】
2005182848.tif 000008
【図７】
2005182848.tif 000009
【図８】
2005182848.tif 000010
【図９】
2005182848.tif 000011
【図１０】
2005182848.tif 000012
【図１１】
2005182848.tif 000013
【図１２】
2005182848.tif 000014
【図１３】
2005182848.tif 000015
【図１４】
2005182848.tif 000016
【図１５】
2005182848.tif 000017
【図１６】
2005182848.tif 000018
【図１７】
2005182848.tif 000019
【図１８】
2005182848.tif 000020
【図１９】
2005182848.tif 000021
【図２０】
2005182848.tif 000022
【図２１】
2005182848.tif 000023
【図２２】
2005182848.tif 000024
【図２３】
2005182848.tif 000025
【図２４】
2005182848.tif 000026
【図２５】
2005182848.tif 000027
【図２６】
2005182848.tif 000028
【図２７】
2005182848.tif 000029
【図２８】
2005182848.tif 000030
【図２９】
2005182848.tif 000031
【図３０】
2005182848.tif 000032
【図３１】
2005182848.tif 000033
【図３２】
2005182848.tif 000034
【図３３】
2005182848.tif 000035
【図３４】
2005182848.tif 000036
【図３５】
2005182848.tif 000037
【図３６】
2005182848.tif 000038
【図３７】
2005182848.tif 000039
【図３８】
2005182848.tif 000040